(57)【特許請求の範囲】
【請求項１】
商品を集積収納するとともに、その集積収納された商品を投出する自動販売機の商品収納装置において、
左右の収納枠を有し、これら左右の収納枠の間の前面が開口され、この開口を通じて装填される商品を上下方向に集積収納する商品コラムと、
この商品コラムの前方下部に沿って横設される支持部材と、
この支持部材上に取り付けられる平板形状の本体部、この本体部の商品コラムに臨む後縁部から下方に延びる厚み規制部および上方に延びる支え部が形成されている基台と、
前記商品コラムの前面領域内において、傾斜した状態で商品コラムの前方に位置して商品コラム内の商品の前方向への動きを規制する規制位置、および商品コラムの側方に位置する退避位置との間で回動可能に前記基台に軸支される規制部材と、
前記基台の支え部に設けられ、前記規制部材の回動角度を規制する角度規制手段と、
この規制部材の上端部側に設けられ、規制部材の重心を退避位置より規制位置側に設定する錘部とを具備し、
前記角度規制手段が前記基台の支え部にほぼＶ字形に切り欠き形成され、この角度規制手段に前記規制部材の下部が係合配置されるとともに、この角度規制手段の規制角度は、前記規制部材が規制位置と退避位置との間で回動可能とする角度とされ、かつ、規制部材の上端部が前記商品コラムの左右の収納枠に接触しない角度とする
ことを特徴とする自動販売機の商品収納装置。
【発明の詳細な説明】
【０００１】
【発明の属する技術分野】
本発明は、商品を集積収納するとともに、その集積収納された商品を投出する自動販売機の商品収納装置に関する。
【０００２】
【従来の技術】
従来、この種の自動販売機の商品収納装置では、一般に、商品を上下方向に集積収納する商品コラムの前面を開口し、この開口を通じて商品コラム内に商品を装填するようにしている。商品コラムの前面には、装填後の商品の前倒れを防止するために、商品コラムの上下方向に沿って規制部材を配置している。この規制部材は、商品装填後の通常時（販売時）に商品コラムの前方に位置されて商品コラム内の商品の前方向への動きを規制し、商品装填時に商品コラムの前方から退避されて商品コラムの開口を通じて商品の装填を許容する。
【０００３】
例えば、実開平７−２５４７０号公報に記載されているように、規制部材の水平回動によって、規制部材を商品コラムの前面に対して規制位置と退避位置に移動可能に設けている。そして、商品装填時には、販売機係員が手動により規制部材を商品コラムの側方へ退避させ、また、商品装填後には、販売機係員が手動により規制部材を元の規制位置に復帰させるようにしている。
【０００４】
また、特開平４−２５６０９５号公報に記載されているように、規制部材の上端を支点とした前後方向の回動によって、規制部材を商品コラムの前面に対して規制位置と前方に跳ね上げた退避位置に移動可能に設けている。さらに、規制部材を前方に跳ね上げた退避位置で係止する係止手段、係止手段による規制部材の係止を解除させるガイドレバー、自動販売機の扉の開閉に連動するガイドアーム、扉の閉動作に伴うガイドアームの回動に連動して係止手段の係止を解除するようにガイドレバーを付勢するガイド板を設けている。そして、商品装填時には、販売機係員が手動により規制部材を商品コラムの前方へ退避させ、また、商品装填後には、販売機係員が手動により規制部材を元の規制位置に復帰させるか、扉の閉動作に連動して、ガイドアーム、ガイド板、ガイドレバーなどを介して規制部材を元の規制位置に自動復帰させるようにしている。
【０００５】
【発明が解決しようとする課題】
しかしながら、実開平７−２５４７０号公報に記載された構成では、販売機係員が手動により規制部材の退避と復帰を行なうので、商品装填後に規制部材の復帰を忘れた場合、商品コラム内の商品が前倒れし、商品を正常に投出（販売）できないばかりか、場合によっては、自動販売機の扉を閉める際に扉と規制部材が当たって破損をまねくおそれがある。
【０００６】
また、特開平４−２５６０９５号公報に記載された構成では、扉の閉動作に連動して規制部材を自動復帰させるため、規制部材の復帰忘れを防止できるが、係止手段、ガイドレバー、ガイドアーム、ガイド板などが必要になるため、装置が複雑化および大形化し、コスト高となる問題がある。
【０００７】
本発明は、このような点に鑑みなされたもので、商品装填後に規制位置に自動復帰する規制部材を簡単な構成で実現し、簡素化、小形化およびコスト低減が可能となる自動販売機の商品収納装置を提供することを目的とする。
【０００８】
【課題を解決するための手段】
請求項１記載の自動販売機の商品収納装置は、商品を集積収納するとともに、その集積収納された商品を投出する自動販売機の商品収納装置において、左右の収納枠を有し、これら左右の収納枠の間の前面が開口され、この開口を通じて装填される商品を上下方向に集積収納する商品コラムと、この商品コラムの前方下部に沿って横設される支持部材と、この支持部材上に取り付けられる平板形状の本体部、この本体部の商品コラムに臨む後縁部から下方に延びる厚み規制部および上方に延びる支え部が形成されている基台と、前記商品コラムの前面領域内において、傾斜した状態で商品コラムの前方に位置して商品コラム内の商品の前方向への動きを規制する規制位置、および商品コラムの側方に位置する退避位置との間で回動可能に前記基台に軸支される規制部材と、前記基台の支え部に設けられ、前記規制部材の回動角度を規制する角度規制手段と、この規制部材の上端部側に設けられ、規制部材の重心を退避位置より規制位置側に設定する錘部とを具備し、前記角度規制手段が前記基台の支え部にほぼＶ字形に切り欠き形成され、この角度規制手段に前記規制部材の下部が係合配置されるとともに、この角度規制手段の規制角度は、前記規制部材が規制位置と退避位置との間で回動可能とする角度とされ、かつ、規制部材の上端部が前記商品コラムの左右の収納枠に接触しない角度とするものである。
【０００９】
商品装填時には、規制部材の重心による付勢に抗して、規制部材を規制位置から退避位置に移動させ、開口された商品コラムの前面から商品を装填する。また、商品装填後には、規制部材の退避位置への移動を解除すると、規制部材の自重により退避位置から規制位置に自動復帰する。さらに、規制部材の規制位置と退避位置を位置決めし、規制部材が商品コラムなどに接触しないようにする。
【００１０】
【発明の実施の形態】
以下、本発明の自動販売機の商品収納装置の一実施の形態を図面を参照して説明する。
【００１１】
図１は自動販売機の商品収納装置の正面図、図２は商品収納装置の側面図、図３は商品収納装置の平面図、図４は商品収納装置の斜視図、図５は商品収納装置の基台としての調整部材の斜視図、図６は商品収納装置の規制部材の斜視図である。
【００１２】
自動販売機は、販売機本体とこの販売機本体の前面に開閉可能に設けられた扉体を有し、販売機本体内に例えばたばこなどの商品を種類別に収納するとともに商品販売時に収納された商品を投出する複数の商品収納装置が配設されている。
【００１３】
図１ないし図３に商品収納装置１を示し、この商品収納装置１には、底台２、天板３、背面板４、左右の収納枠５により、例えばたばこなどの商品Ｔを上下方向に集積収納する商品コラム６が形成されている。商品コラム６の前面には開口７が形成され、この開口７を通じて商品Ｔが商品コラム６内に装填される。
【００１４】
底台２上には、前後方向に移動可能であって商品コラム６内の最下位の商品Ｔを前方へ押し出して投出する投出部材８が配設されている。この投出部材８を前後方向に移動させる駆動機構は底台２内に配設されている。
【００１５】
底台２の上面前端と後述する調整部材11の厚み規制部22との間に、投出部材８の前進時に最下位の商品Ｔのみが通過して前方に投出される投出口９が形成されている。
【００１６】
また、販売機本体内で横に並ぶ各商品収納装置１の前方下部に沿って支持部材10が横設され、この支持部材10に各商品コラム６の位置に対応して基台としての調整部材11が取り付けられ、この調整部材11に規制部材12が取り付けられている。
【００１７】
調整部材11は、支持部材10上に取り付けられる平板形状の本体部21を有し、この本体部21の商品コラム６に臨む後縁部から下方に延びる厚み規制部22および上方に延びる支え部23がそれぞれ形成されている。本体部21の右側近傍には前後方向に長い長孔24が形成され、この長孔24を通じて取付ねじ25が支持部材10に螺着されている。そして、調整部材11は、取付ねじ25により支持部材10に対する取付位置を前後方向に調整可能であり、商品コラム６に収納する商品Ｔのサイズの変更に対応可能とする。
【００１８】
図５に示すように、本体部21上の左側後部近傍には前後方向に貫通する軸受孔26を有する軸受部27が形成され、この軸受部27に規制部材12が回動可能に軸支される。軸受部27に対向する支え部23には、規制部材12の回動角度を規制する角度規制手段としての切欠部28がほぼＶ字形に切欠形成され、この切欠部28に規制部材12の規制部31の下部が係合配置されている。切欠部28の規制角度は、規制部材12が傾斜した状態で商品コラム６の前方に位置して商品コラム６内の商品Ｔの前方向への動きを規制する規制位置（図１の実線位置）と、規制部材12がほぼ直立した状態で商品コラム６の側方に位置する退避位置（図１の２点鎖線位置）との間で回動可能とする角度とされ、かつ、規制部材12の上端部が商品コラム６の左右の収納枠５に接触しない角度とされる。
【００１９】
規制部材12は、図４および図６に示すように、断面円形の棒状部材にて形成されており、規制部31を有し、この規制部31の下端部には調整部材11の切欠部28を通じて軸受部27の軸受孔26に回転可能に軸受される回動軸部32がＬ字状に屈曲形成され、この回動軸部32には軸受部27の前後端面でＥリング33がそれぞれ嵌め込まれて抜け止めされる溝部34が２本形成されている。そして、規制部材12は、商品コラム６の前面領域内（垂直平面内）において、規制位置と退避位置との間で回動可能に調整部材11に軸支されている。
【００２０】
規制部31の上端部には、規制部31と回動軸部32を含む平面にほぼ直交するように屈曲した屈曲部35が形成され、この屈曲部35の先端に錘部36が形成されている。そして、錘部36により、規制部材12の重心が退避位置より規制位置側に設定されている。
【００２１】
次に、本実施の形態の作用を説明する。
【００２２】
商品コラム６に収納する商品Ｔのサイズに合わせて、調整部材11の支持部材10に対する取付位置を前後方向に調整し、調整後に取付ねじ25を締め付けて固定する。
【００２３】
商品コラム６内に商品Ｔを装填（補充）する場合は、販売機係員により規制部材12を商品コラム６の側方の退避位置にほぼ直立した状態に押し留めた状態で、商品コラム６の前面の開口７を通じて商品Ｔを装填する。商品コラム６に装填される商品Ｔは、底台２上に載置されて上下方向に集積収納される。
【００２４】
商品Ｔの装填が完了し、販売機係員により規制部材12を離すと、規制部材12の重心は錘部36の作用により商品コラム６の中央寄りにあるため、規制部材12が自重により傾斜した状態の規制位置に自動復帰する。
【００２５】
この商品Ｔの装填作業は、自動販売機の販売機本体から扉体を開放した状態で行なわれ、商品Ｔの装填完了後に扉体が販売機本体に閉じられる。このとき、規制部材12は、商品コラム６の前面領域内（垂直平面内）において回動可能に配設されているため、閉じられる扉体に当たって破損するようなことはない。
【００２６】
そして、商品販売時に、商品コラム６内に集積収納される商品Ｔのうちの最下位の商品Ｔが投出部材８により前方に押し出されるが、最下位から２番目および３番目の商品Ｔは、調整部材11の厚み規制部22および支え部23により前方への動きが規制される。さらに、最下位から４番目より上部に集積された商品Ｔは、規制位置に位置している規制部材12により前方への動きや落下が規制される。
【００２７】
以上のように、規制部材12を商品コラム６の前面領域内において規制位置と退避位置との間で回動可能に設けるとともに、この規制部材12の重心を退避位置より規制位置側に設定する錘部36を設けたことにより、商品装填後に規制部材12が自重により自動復帰するので、商品Ｔの投出不良や装置の破損を防止でき、しかも、自動復帰する規制部材12を簡単な構成で実現し、簡素化、小形化およびコスト低減を可能とする。
【００２８】
また、規制部材12の回動角度を規制する角度規制手段として切欠部28を設けたので、規制部材12の規制位置と退避位置を確実に位置決めでき、規制部材12が商品コラム６の収納枠５などに接触しないので規制部材12および収納枠５の変形や破損を防止できる。
【００２９】
なお、調整部材11は長孔24によって前後方向に調整可能に構成しているが、長孔24に代えて、予め商品サイズに合わせて形成された複数のねじ孔とすることもできる。
【００３０】
また、規制部材12を軸支する基台としては、同一サイズの商品Ｔのみを収納する場合、調整部材11を省略して支持部材10とし、この支持部材10に規制部材12を軸支することもできる。
【００３１】
また、規制部材12の形状は、断面多角形や断面楕円形の棒状部材としても良いとともに、長尺状の板状部材としても良い。
【００３２】
【発明の効果】
請求項１記載の自動販売機の商品収納装置によれば、規制部材を商品コラムの前面領域内において規制位置と退避位置との間で回動可能に設けるとともに、この規制部材の重心を退避位置より規制位置側に設定する錘部を設けたことにより、商品装填後に規制部材が自重により自動復帰するので、商品の投出不良や装置の破損を防止でき、しかも、自動復帰する規制部材を簡単な構成で実現し、簡素化、小形化およびコスト低減を可能とする。さらに、規制部材の回動角度を規制する角度規制手段を設けたので、規制部材の規制位置と退避位置を確実に位置決めでき、規制部材が商品コラムなどに接触しないので規制部材および商品コラムの変形や破損を防止できる。
【図面の簡単な説明】
【図１】  本発明の一実施の形態を示す自動販売機の商品収納装置の正面図である。
【図２】  同上商品収納装置の側面図である。
【図３】  同上商品収納装置の平面図である。
【図４】  同上商品収納装置の斜視図である。
【図５】  同上商品収納装置の基台としての調整部材の斜視図である。
【図６】  同上商品収納装置の規制部材の斜視図である。
【符号の説明】
５ 収納枠
６    商品コラム
７    開口
10 支持部材
11    基台としての調整部材
12    規制部材
21 本体部
22 厚み規制部
23 支え部
28    角度規制手段としての切欠部
36    錘部
Ｔ    商品
【図１】
0004012593.tif 000002
【図２】
0004012593.tif 000003
【図３】
0004012593.tif 000004
【図４】
0004012593.tif 000005
【図５】
0004012593.tif 000006
【図６】
0004012593.tif 000007